【手続補正書】
【提出日】平成20年7月10日(2008.7.10)
【手続補正１】
【補正対象書類名】明細書
【補正対象項目名】特許請求の範囲
【補正方法】変更
【補正の内容】
【特許請求の範囲】
【請求項１】  結着樹脂、着色剤及びワックスを少なくとも含有するトナーであり、
該結着樹脂は、（ａ）ポリエステル樹脂、（ｂ）ポリエステルユニットとビニル系重合体ユニットとを有しているハイブリッド樹脂、又は（ｃ）それらの混合物を少なくとも含有しており、
該ワックスは、極性基を有するワックスを含有しており、
該極性基を有するワックスは、下記式（Ｉ）乃至（ＩＶ）のいずれかの構造ユニットを有しているか、又は、下記式（Ｖ）の構造式を有している
【化１】
2002091087.tif 000001
ワックスを少なくとも１種以上有することを特徴とするトナー。
【請求項２】  該結着樹脂は、ビニル系共重合体をさらに含むことを特徴とする請求項１に記載のトナー。
【請求項３】  該結着樹脂は、ポリエステル樹脂とハイブリッド樹脂を少なくとも含むことを特徴とする請求項１に記載トナー。
【請求項４】  該結着樹脂は、ハイブリット樹脂とビニル系共重合体との混合物を少なくとも含むことを特徴とする請求項２に記載のトナー。
【請求項５】  該ワックスは、極性基を有していない炭化水素系ワックスを更に含有していることを特徴とする請求項１乃至４のいずれかに記載のトナー。
【請求項６】  極性基を有しない該炭化水素系ワックスは、示差走査熱量分析（ＤＳＣ）測定における吸熱曲線において、温度３０〜２００℃の範囲における最大吸熱ピークのピーク温度が５５〜９０℃の範囲にあることを特徴とする請求項１乃至５のいずれかに記載のトナー。
【請求項７】  極性基を有しない該炭化水素系ワックスは、示差走査熱量分析（ＤＳＣ）測定における吸熱曲線において、温度３０〜２００℃の範囲における最大吸熱ピークのピーク温度が６０〜８５℃の範囲にあることを特徴とする請求項１乃至５のいずれかに記載のトナー。
【請求項８】  極性基を有しない該炭化水素系ワックスは、示差走査熱量分析（ＤＳＣ）測定における発熱曲線において、温度３０〜２００℃の範囲における最大発熱ピークのピーク温度が４５〜９０℃の範囲にあることを特徴とする請求項１乃至７のいずれかに記載のトナー。
【請求項９】  極性基を有しない該炭化水素系ワックスは、示差走査熱量分析（ＤＳＣ）測定における発熱曲線において、温度３０〜２００℃の範囲における最大発熱ピークのピーク温度が５０〜８５℃の範囲にあることを特徴とする請求項１乃至７のいずれかに記載のトナー。
【請求項１０】  該トナーのテトラヒドロフランに溶解する樹脂成分は、ゲルパーミエーションクロマトグラフィー（ＧＰＣ）による分子量分布において、分子量６０００〜８０００の領域にメインピークが存在し、重量平均分子量（Ｍｗ）と数平均分子量（Ｍｎ）との比（Ｍｗ／Ｍｎ）が３００以上であることを特徴とする請求項１乃至９のいずれかに記載のトナー。
【請求項１１】  該トナーのテトラヒドロフランに溶解する樹脂成分は、ゲルパーミエーションクロマトグラフィー（ＧＰＣ）による分子量分布において、分子量６０００〜８０００の領域にメインピークが存在し、重量平均分子量（Ｍｗ）と数平均分子量（Ｍｎ）との比（Ｍｗ／Ｍｎ）が５００以上であることを特徴とする請求項１乃至９のいずれかに記載のトナー。
【請求項１２】  式（Ｉ）の構造ユニットを有する該極性基含有ワックスは、水酸基価が１０〜７０ｍｇＫＯＨ／ｇの範囲であることを特徴とする請求項１乃至１１のいずれかに記載のトナー。
【請求項１３】  式（Ｉ）の構造ユニットを有する該極性基含有ワックスは、酸価が１〜２０ｍｇＫＯＨ／ｇの範囲であることを特徴とする請求項１乃至１２のいずれかに記載のトナー。
【請求項１４】  式（ＩＩ）の構造ユニットを有する該極性基含有ワックスは、酸価が１〜６０ｍｇＫＯＨ／ｇの範囲であることを特徴とする請求項１乃至１３のいずれかに記載のトナー。
【請求項１５】  式（Ｉ）の構造ユニットを有する該極性基含有ワックスは、示差走査熱量分析（ＤＳＣ）測定における吸熱曲線において、温度３０〜２００℃の範囲における最大吸熱ピークのピーク温度が５５〜９０℃の範囲にあることを特徴とする請求項１乃至１４のいずれかに記載のトナー。
【請求項１６】  式（Ｉ）の構造ユニットを有する該極性基含有ワックスは、示差走査熱量分析（ＤＳＣ）測定における吸熱曲線において、温度３０〜２００℃の範囲における最大吸熱ピークのピーク温度が６０〜８５℃の範囲にあることを特徴とする請求項１乃至１４のいずれかに記載のトナー。
【請求項１７】  式（Ｉ）の構造ユニットを有する該極性基含有ワックスは、示差走査熱量分析（ＤＳＣ）測定における発熱曲線において、温度３０〜２００℃の範囲における最大発熱ピークのピーク温度が４５〜９０℃の範囲にあることを特徴とする請求項１乃至１６のいずれかに記載のトナー。
【請求項１８】  式（Ｉ）の構造ユニットを有する該極性基含有ワックスは、示差走査熱量分析（ＤＳＣ）測定における発熱曲線において、温度３０〜２００℃の範囲における最大発熱ピークのピーク温度が５０〜８５℃の範囲にあることを特徴とする請求項１乃至１６のいずれかに記載のトナー。
【請求項１９】  該トナーは、有機金属化合物をさらに含有していることを特徴とする請求項１乃至１８のいずれかに記載のトナー。
【請求項２０】  該有機金属化合物は、芳香族オキシカルボン酸及び芳香族アルコキシカルボン酸から選択される芳香族カルボン酸誘導体、該芳香族カルボン酸誘導体の金属化合物であることを特徴とする請求項１９に記載のトナー。
【請求項２１】  該有機金属化合物は、該トナー中にトナーの質量を基準として０．１〜１０質量％含有されていることを特徴とする請求項１９又は２０に記載のトナー。
【請求項２２】  極性基を有するワックスは、式（Ｉ）の構造ユニット及び式（ＩＩ）の構造ユニットとを有していることを特徴とする請求項１乃至２１のいずれかに記載のトナー。
【請求項２３】  極性基を有するワックスは、トナーの質量基準で０．１〜１０質量％トナーに含有されていることを特徴とする請求項１乃至２２のいずれかに記載のトナー。
【請求項２４】  極性基を有しない炭化水素系ワックスは、トナーの質量基準で０．１〜１０質量％トナーに含有されていることを特徴とする請求項５乃至２３のいずれかに記載のトナー。
【請求項２５】  ワックスは、トナーの質量基準で０．４〜１４質量％トナーに含有されていることを特徴とする請求項１乃至２４のいずれかに記載のトナー。
【請求項２６】  トナーは、カラートナーであることを特徴とする請求項１乃至２５のいずれかに記載のトナー。
【請求項２７】  トナーは、シアントナー，マゼンタトナー及びイエロートナーからなるグループから選択されるカラートナーであることを特徴とする請求項１乃至２６のいずれかに記載のトナー。
【請求項２８】  （ｉ）像担持体に第１の静電荷像を形成し、
シアントナー，マゼンタトナー，イエロートナー及びブラックトナーからなるグループから選択される第１のトナーで静電荷像を現像して第１のトナー画像を像担持体上に形成し、
第１のトナー画像を中間転写体を介して、または、介さずに転写材に転写し、
（ｉｉ）像担持体に第２の静電荷像を形成し、
シアントナー，マゼンタトナー，イエロートナー及びブラックトナーからなるグループから選択される第２のトナーで静電荷像を現像して第２のトナー画像を像担持体上に形成し、
第２のトナー画像を中間転写体を介して、または、介さずに転写材に転写し、
（ｉｉｉ）像担持体に第３の静電荷像を形成し、
シアントナー，マゼンタトナー，イエロートナー及びブラックトナーからなるグループから選択される第３のトナーで静電荷像を現像して第３のトナー画像を像担持体上に形成し、
第３のトナー画像を中間転写体を介して、または、介さずに転写材に転写し、
（ｉｖ）像担持体に第４の静電荷像を形成し、
シアントナー，マゼンタトナー，イエロートナー及びブラックトナーからなるグループから選択される第４のトナーで静電荷像を現像して第４のトナー画像を像担持体上に形成し、
第４のトナー画像を中間転写体を介して、または、介さずに転写材に転写し、
（ｖ）転写材上のシアントナー画像、マゼンタトナー画像、イエロートナー画像及びブラックトナー画像を加熱加圧定着することにより、転写材にフルカラー画像を形成するフルカラー画像形成方法であり、
（ａ）シアントナーは、結着樹脂、シアン着色剤及びワックスを少なくとも含有しており、
該結着樹脂は、（ａ）ポリエステル樹脂、（ｂ）ポリエステルユニットとビニル系重合体ユニットとを有しているハイブリッド樹脂、又は（ｃ）それらの混合物を少なくとも含有しており、
該ワックスは、極性基を有するワックスを含有しており、
該極性基を有するワックスは、下記式（Ｉ）乃至（ＩＶ）のいずれかの構造ユニットを有しているか、又は、下記式（Ｖ）の構造式を有している
【化２】
2002091087.tif 000002
ワックスを少なくとも１種以上有しており、
（ｂ）マゼンタトナーは、結着樹脂、マゼンタ着色剤及びワックスを少なくとも含有しており、
該結着樹脂は、（ａ）ポリエステル樹脂、（ｂ）ポリエステルユニットとビニル系重合体ユニットとを有しているハイブリッド樹脂、又は（ｃ）それらの混合物を少なくとも含有しており、
該ワックスは、極性基を有するワックスを含有しており、
該極性基を有するワックスは、下記式（Ｉ）乃至（ＩＶ）のいずれかの構造ユニットを有しているか、又は、下記式（Ｖ）の構造式を有している
【化３】
2002091087.tif 000003
ワックスを少なくとも１種以上有しており、
（ｃ）イエロートナーは、結着樹脂、イエロー着色剤及びワックスを少なくとも含有しており、
該結着樹脂は、（ａ）ポリエステル樹脂、（ｂ）ポリエステルユニットとビニル系重合体ユニットとを有しているハイブリッド樹脂、又は（ｃ）それらの混合物を少なくとも含有しており、
該ワックスは、極性基を有するワックスを含有しており、
該極性基を有するワックスは、下記式（Ｉ）乃至（ＩＶ）のいずれかの構造ユニットを有しているか、又は、下記式（Ｖ）の構造式を有している
【化４】
2002091087.tif 000004
ワックスを少なくとも１種以上有しており、
（ｄ）ブラックトナーは、結着樹脂、ブラック着色剤及びワックスを少なくとも含有しており、
該結着樹脂は、（ａ）ポリエステル樹脂、（ｂ）ポリエステルユニットとビニル系重合体ユニットとを有しているハイブリッド樹脂、又は（ｃ）それらの混合物を少なくとも含有しており、
該ワックスは、極性基を有するワックスを含有しており、
該極性基を有するワックスは、下記式（Ｉ）乃至（ＩＶ）のいずれかの構造ユニットを有しているか、又は、下記式（Ｖ）の構造式を有している
【化５】
2002091087.tif 000005
ワックスを少なくとも１種以上有することを特徴とするフルカラー画像形成方法。
【請求項２９】  トナー画像は、定着面に定着部材から供給されるシリコーンオイルの塗布量が０〜１×１０-7ｇ／ｃｍ2である条件下で転写材に加熱加圧定着されることを特徴とする請求項２８に記載のフルカラー画像形成方法。
【請求項３０】  トナー画像は、定着面に定着部材からシリコーンオイルが供給されないオイルレス定着の条件下で転写材に加熱加圧定着されることを特徴とする請求項２８に記載のフルカラー画像形成方法。
【請求項３１】  シアントナー，マゼンタトナー，イエロートナー及びブラックトナーが請求項２乃至２７のいずれかに記載のトナーであることを特徴とする請求項２８乃至３０のいずれかに記載のフルカラー画像形成方法。
【手続補正２】
【補正対象書類名】明細書
【補正対象項目名】００８３
【補正方法】変更
【補正の内容】
【００８３】
（ＩＩ）の構造ユニットを有するワックスは、前述した（Ｉ）の構造を有するワックスの製法と同様にして、パラフィンワックスの如き脂肪族炭化水素系ワックスをアルコール変性した後、さらに酸化をすることにより得られる。